(57)【要約】【課題】撮影データに対して簡単にメタデータを設定することができるようにすることを目的とする。【解決手段】本発明の撮影装置は、日時情報とオブジェクト情報とが関連付けられて構成されるスケジュール表のスケジュール情報をメモリに記憶する記憶処理手段と、内蔵された計時装置から日時情報を取得する日時情報取得手段と、前記日時情報取得手段において取得された日時情報と、前記記憶処理手段において前記メモリに記憶されたスケジュール情報の日時情報とを比較する日時情報比較手段と、前記日時情報比較手段における比較の結果に応じて前記スケジュール情報よりオブジェクト情報を抽出するオブジェクト情報抽出手段と、前記オブジェクト情報抽出手段において抽出されたオブジェクト情報を撮影データに設定する設定手段と、を有することを特徴とする。【選択図】  図１
2009060423.tif 000002
【特許請求の範囲】
【請求項１】
日時情報とオブジェクト情報とが関連付けられて構成されるスケジュール表のスケジュール情報をメモリに記憶する記憶処理手段と、
内蔵された計時装置から日時情報を取得する日時情報取得手段と、
前記日時情報取得手段において取得された日時情報と、前記記憶処理手段において前記メモリに記憶されたスケジュール情報の日時情報とを比較する日時情報比較手段と、
前記日時情報比較手段における比較の結果に応じて前記スケジュール情報よりオブジェクト情報を抽出するオブジェクト情報抽出手段と、
前記オブジェクト情報抽出手段において抽出されたオブジェクト情報を撮影データに設定する設定手段と、
を有することを特徴とする撮影装置。
【請求項２】
前記オブジェクト情報抽出手段において抽出されたオブジェクト情報を表示装置に表示する表示処理手段と、
前記表示処理手段において表示されたオブジェクト情報のユーザによる変更指示を検出するオブジェクト変更指示検出手段と、
を更に有し、
前記オブジェクト変更指示検出手段において前記ユーザによる変更指示が検出された場合、前記オブジェクト情報抽出手段は、前記表示処理手段において表示されたオブジェクト情報と異なるオブジェクト情報を抽出することを特徴とする請求項１に記載の撮影装置。
【請求項３】
位置測位装置によって検出されたユーザの位置情報に応じた場所情報を受信する場所情報受信手段を更に有し、
前記オブジェクト情報抽出手段において抽出されたオブジェクト情報と前記場所情報受信手段において受信された場所情報とが一致する場合、前記表示処理手段は、前記オブジェクト情報の表示方法を変更して表示することを特徴とする請求項２に記載の撮影装置。
【請求項４】
前記日時情報取得手段において取得された日時情報と、前記オブジェクト情報抽出手段において抽出されたオブジェクト情報と、前記撮影データのファイル名と、を用いてウェブブラウザにおいて閲覧可能なデータを作成するデータ作成手段と、
前記データ作成手段において作成されたデータをサーバに送信する送信手段と、
を更に有することを特徴とする請求項１乃至３の何れか１項に記載の撮影装置。
【請求項５】
前記撮影データに追加して設定するメタデータを取得する追加データ取得手段を更に有し、
前記設定手段は、前記追加データ取得手段において取得されたメタデータを、前記撮影データに追加して設定することを特徴とする請求項１乃至４の何れか１項に記載の撮影装置。
【請求項６】
日時情報とオブジェクト情報とが関連付けられて構成されるスケジュール表のスケジュール情報をメモリに記憶する記憶処理ステップと、
内蔵された計時装置から日時情報を取得する日時情報取得ステップと、
前記日時情報取得ステップにおいて取得された日時情報と、前記記憶処理ステップにおいて前記メモリに記憶されたスケジュール情報の日時情報とを比較する日時情報比較ステップと、
前記日時情報比較ステップにおける比較の結果に応じて前記スケジュール情報よりオブジェクト情報を抽出するオブジェクト情報抽出ステップと、
前記オブジェクト情報抽出ステップにおいて抽出されたオブジェクト情報を撮影データに設定する設定ステップと、
を有することを特徴とする撮影装置における撮影方法。
【請求項７】
前記オブジェクト情報抽出ステップにおいて抽出されたオブジェクト情報を表示装置に表示する表示処理ステップと、
前記表示処理ステップにおいて表示されたオブジェクト情報のユーザによる変更指示を検出するオブジェクト変更指示検出ステップと、
を更に有し、
前記オブジェクト変更指示検出ステップにおいて前記ユーザによる変更指示が検出された場合、前記オブジェクト情報抽出ステップでは、前記表示処理ステップにおいて表示されたオブジェクト情報と異なるオブジェクト情報を抽出することを特徴とする請求項６に記載の撮影方法。
【請求項８】
位置測位装置によって検出されたユーザの位置情報に応じた場所情報を受信する場所情報受信ステップを更に有し、
前記オブジェクト情報抽出ステップにおいて抽出されたオブジェクト情報と前記場所情報受信ステップにおいて受信された場所情報とが一致する場合、前記表示処理ステップでは、前記オブジェクト情報の表示方法を変更して表示することを特徴とする請求項７に記載の撮影方法。
【請求項９】
前記日時情報取得ステップにおいて取得された日時情報と、前記オブジェクト情報抽出ステップにおいて抽出されたオブジェクト情報と、前記撮影データのファイル名と、を用いてウェブブラウザにおいて閲覧可能なデータを作成するデータ作成ステップと、
前記データ作成ステップにおいて作成されたデータをサーバに送信する送信ステップと、
を更に有することを特徴とする請求項６乃至８の何れか１項に記載の撮影方法。
【請求項１０】
前記撮影データに追加して設定するメタデータを取得する追加データ取得ステップを更に有し、
前記設定ステップでは、前記追加データ取得ステップにおいて取得されたメタデータを、前記撮影データに追加して設定することを特徴とする請求項６乃至９の何れか１項に記載の撮影方法。
【発明の詳細な説明】
【技術分野】
【０００１】
本発明は、撮影装置及び撮影方法に関する。
【背景技術】
【０００２】
従来、ユーザが記憶装置に記憶されている撮影データ等のマルチメディアデータから所望するマルチメディアデータを検索する場合、数多くのマルチメディアデータから所望するマルチメディアデータにアクセスするのは非常に困難であった。近年、デジタルカメラ等で撮影された撮影データにメタデータを付加（設定）する技術が知られている。このようなメタデータを付加することで、ユーザはキーワード検索等でメタデータを入力し、簡単に所望するマルチメディアデータを検索することができる。また、特許文献１に開示された技術は、撮影した写真に含まれるメタデータを利用して、携帯電話の待ち受け画面に表示する写真を変更するものである。
このように、マルチメディアデータにメタデータを付加することで、所望するマルチメディアデータに簡単にアクセスすることができるほか、多様化するユーザの要求に対してマルチメディアデータを利用することができる。
【０００３】
【特許文献１】特開２００５−３７３５９号公報
【発明の開示】
【発明が解決しようとする課題】
【０００４】
しかしながら、このメタデータを付加するには手間がかかるという問題がある。例えば、ユーザが、旅行において撮影装置を用い静止画データ、動画データ又は音声データ等、数多くのマルチメディアデータを取得する。そして、旅行が終わった後、ユーザは取得した数多くのマルチメディアデータの１つ１つに対してメタデータを付加しなければならず、非常に手間がかかってしまう。
【０００５】
本発明は、上述したような問題点に鑑みてなされたものであり、撮影データに対して簡単にメタデータを設定することができるようにすることを目的とする。
【課題を解決するための手段】
【０００６】
本発明の撮影装置は、日時情報とオブジェクト情報とが関連付けられて構成されるスケジュール表のスケジュール情報をメモリに記憶する記憶処理手段と、内蔵された計時装置から日時情報を取得する日時情報取得手段と、前記日時情報取得手段において取得された日時情報と、前記記憶処理手段において前記メモリに記憶されたスケジュール情報の日時情報とを比較する日時情報比較手段と、前記日時情報比較手段における比較の結果に応じて前記スケジュール情報よりオブジェクト情報を抽出するオブジェクト情報抽出手段と、前記オブジェクト情報抽出手段において抽出されたオブジェクト情報を撮影データに設定する設定手段と、を有することを特徴とする。
【０００７】
本発明の撮影装置における撮影方法は、日時情報とオブジェクト情報とが関連付けられて構成されるスケジュール表のスケジュール情報をメモリに記憶する記憶処理ステップと、内蔵された計時装置から日時情報を取得する日時情報取得ステップと、前記日時情報取得ステップにおいて取得された日時情報と、前記記憶処理ステップにおいて前記メモリに記憶されたスケジュール情報の日時情報とを比較する日時情報比較ステップと、前記日時情報比較ステップにおける比較の結果に応じて前記スケジュール情報よりオブジェクト情報を抽出するオブジェクト情報抽出ステップと、前記オブジェクト情報抽出ステップにおいて抽出されたオブジェクト情報を撮影データに設定する設定ステップと、を有することを特徴とする。
【発明の効果】
【０００８】
本発明によれば、撮影データに対して簡単にメタデータを設定することができる。
【発明を実施するための最良の形態】
【０００９】
以下、図面を参照して本発明に係る実施形態について説明する。
（第１の実施形態）
図１は、第１の実施形態に係る撮影システム１００の構成の一例を示す図である。
撮影システム１００は、撮影装置１と端末装置２〜４とサーバ５と入力装置１６と表示装置１７とを含んで構成される。
【００１０】
撮影装置１は、例えばデジタルカメラであり、静止画データ、動画データ及び音声データ等のマルチメディアデータ（以下、撮影データという）を取得することができる。撮影装置１は、図１に示すように、０次メタデータ保持回路６とメタデータ選択回路７とカメラユニット８と計時装置９と調整ボタン１０とシャッターボタン１１とを含んで構成される。０次メタデータ保持回路６は後述するスケジュール表のスケジュール情報を記憶するメモリである。メタデータ選択回路７は、カメラユニット８によって撮影された撮影データに対して設定（付加）するメタデータを抽出する処理等を行う。カメラユニット８は、撮像素子等で構成されるユニットであり、実際に撮影をしたり、撮影データにメタデータを設定したりする処理等を行う。計時装置９は撮影装置１に内蔵されており、日時を算出したり、一定時間を計測したりする機能を有している。調整ボタン１０は、上矢印が記された上ボタンと、下矢印が記された下ボタンとからなっている。例えば、ユーザが撮影データに対し設定するメタデータを選択するとき等に調整ボタン１０を押下する。シャッターボタン１１は、ユーザが撮影装置１に対して撮影を指示するボタンである。
【００１１】
端末装置２〜４は、例えばＰＣ（パーソナルコンピュータ）である。図１に示す端末装置２は、撮影装置１にケーブル等を介して接続されており、撮影装置１に後述するスケジュール表のスケジュール情報等を送信することができる。また、端末装置３、４は、サーバ５にＬＡＮやインターネット等を介して接続することができ、サーバ５に記憶された撮影データを受信して閲覧することができる。
サーバ５は、例えばＰＣ（パーソナルコンピュータ）である。サーバ５は、撮影装置１によって送信されたメタデータが設定された撮影データを記憶する記憶装置を有している。サーバ５は、端末装置３、４からの要求に応じてメタデータが付加された撮影データを端末装置３、４に送信する処理等を行う。
【００１２】
入力装置１６は、サーバ５に対してユーザが指示を行うことができる赤外線リモコン等である。表示装置１７は、サーバ５に記憶された撮影データを閲覧することができるテレビモニタである。
【００１３】
次に、０次メタデータ保持回路６に記憶されるメタデータ（０次メタデータ）について説明する。０次メタデータとはメタデータ選択回路７で処理される前の、０次メタデータ保持回路６に記憶されたメタデータである。ここでは撮影装置１のユーザが旅行に行く場合を想定してより具体的に説明する。まず、ユーザは旅行に出発する前に、旅行のスケジュール表をインターネットや旅行会社等から取得したり、自ら作成したりする。
【００１４】
図２は、スケジュール表の一例を示す図である。本実施形態では、沖縄旅行のスケジュール表を例に挙げて説明する。図２（Ａ）に示すスケジュール表は、パッケージツアーのカタログに記載されるスケジュール表の一例である。このスケジュール表は、「日付」と「行程」と「食事」とから構成されている。図２（Ｂ）に示すスケジュール表は、図２（Ａ）に示すスケジュール表を変換したスケジュール表の一例である。このスケジュール表は、「日付」と「到着時間」と「出発時間」と「目的地」とから構成されている。図２（Ａ）に示すスケジュール表を、ＸＭＬ形式のデータで取得できれば、図２（Ｂ）に示すようなスケジュール表に変換することができる。なお、図２（Ｂ）に示すスケジュール表に変換したことで、空欄が生じる場合、ユーザが手作業で入力する。ここで、ユーザは、図２（Ｂ）に示すようなスケジュール表を、ＸＭＬ形式のスケジュール情報として、自ら作成してもよい。
【００１５】
図３は、０次メタデータ保持回路６に記憶されるスケジュール表をＸＭＬ形式で表したスケジュール情報の一例を示す図である。図３に示すようなスケジュール情報は、端末装置２から撮影装置１の０次メタデータ保持回路６に記憶される（記憶処理）。このスケジュール情報には、日時情報とオブジェクト情報とが関連付けられている。日時情報は、メタデータの一種であり、例えば日付情報と時間情報とを有する図３に示す到着時間３０１、３０２、３０３や、日付情報と時間情報とを有する出発時間３０４等である。オブジェクト情報は、メタデータの一種であり、例えば図３に示すような場所情報（住所情報）３０５、３０６や、イベント情報３０７等である。なお、日時情報は到着時間と出発時間とに限られず、その場所に滞在する時間や、イベントが行われる時間等であってもよい。なお、０次メタデータ保持回路６に記憶されるスケジュール表は、ＸＭＬ形式の場合について説明したが、他の形式であってもよい。
【００１６】
次に、スケジュール情報から撮影データにメタデータを設定する処理について説明する。図４は、メタデータ選択回路７の構成の一例を示す図である。メタデータ選択回路７は、メモリ４０とメモリ４１とパーサ（ＸＭＬパーサ）４２とＤＯＭ（Ｄｏｃｕｍｅｎｔ  Ｏｂｊｅｃｔ  Ｍｏｄｅｌ）コントローラ４３とメモリ４４とを含んで構成されている。
【００１７】
ＤＯＭコントローラ４３は、図１の０次メタデータ保持回路６に記憶されているＸＭＬ形式のスケジュール情報をメモリ４０に記憶させる。次に、パーサ４２は、メモリ４０に記憶されているスケジュール情報を読み出し、ツリーに分解する。パーサ４２は、ツリーに分解したスケジュール情報をＤＯＭコントローラ４３に入力する。なお、ＤＯＭコントローラ４３は、メモリ４０に記憶されているスケジュール情報のメタデータを、メモリ（メタデータ保持回路）４１に送信させる。
【００１８】
ＤＯＭコントローラ４３は、シャッターボタン１１が押されるタイミング、調整ボタン１０の種類、計時装置９の現在時間等から、メモリ４１に記憶されているメタデータを編集する修正方針情報を作成し、メモリ４４に記憶させる。ＤＯＭコントローラ４３は、メモリ４４に記憶されている修正方針情報と入力されたスケジュール情報とに基づいてメモリ４１に記憶されているメタデータを編集する。
【００１９】
次に、メタデータ選択回路７で行われる処理について説明する。先ず、ＤＯＭコントローラ４３は、計時装置９から撮影時、即ちユーザによってシャッターボタン１１が押下されたときの時間（現在時間）の日時情報を取得する（日時情報取得）。次に、ＤＯＭコントローラ４３は、取得した日時情報と、パーサ４２から入力されたスケジュール情報の日時情報とを比較する（日時情報比較）。次に、ＤＯＭコントローラ４３は、取得した日時情報に一致するスケジュール情報の日時情報を検索する。一致する日時情報がある場合、ＤＯＭコントローラ４３は、一致する日時情報に対応するオブジェクト情報を抽出する（オブジェクト情報抽出）。ＤＯＭコントローラ４３は、抽出したオブジェクト情報を修正方針情報としてメモリ４４に記憶させる。なお、ＤＯＭコントローラ４３は、オブジェクト情報を抽出する際に日付情報について一致し、時間情報については近い日時情報を検索する。
【００２０】
次に、ＤＯＭコントローラ４３は、抽出されたオブジェクト情報、即ちメモリ４４に記憶されているオブジェクト情報をカメラユニット８に送信する。カメラユニット８は、送信されたオブジェクト情報を撮影装置１の図示しない表示装置に表示させる（表示処理）。ここで、ユーザが、表示装置に表示されたオブジェクト情報と撮影した実際にいる場所又はイベントとが一致しているかを確認する。一致していると判断した場合、ユーザは特に何もしない（例えば数秒間操作を行わない）又は調整ボタン１０を押下する操作以外の操作をする。すると、ＤＯＭコントローラ４３は、メモリ４４に記憶されたオブジェクト情報をメモリ４１に記憶（編集）させると共に、メモリ４１に記憶されたオブジェクト情報をカメラユニット８に送信する。カメラユニット８は、送信されたオブジェクト情報、即ち抽出されたオブジェクト情報を撮影した撮影データに設定する処理を行う（設定）。より具体的に説明すると、カメラユニット８はオブジェクト情報を撮影データのＥｘｉｆ（Ｅｘｃｈａｎｇｅａｂｌｅ  Ｉｍａｇｅ  Ｆｉｌｅ  Ｆｏｒｍａｔ）のベンダー拡張領域に付加する。
【００２１】
また、ユーザがスケジュール表と比べて遅れて又は早く行動している場合、上述した表示装置に表示されたオブジェクト情報と撮影した実際にいる場所又はイベントとは一致しない。この場合、ユーザは表示されたオブジェクト情報の変更指示を行う。即ち異なるオブジェクト情報が表示装置に表示されている状態で、ユーザは上矢印又は下矢印が記された調整ボタン１０を押下する。ＤＯＭコントローラ４３は、ユーザによる変更指示を検出すると（変更指示検出）、調整ボタン１０が押下される毎に、パーサ４２により入力されツリーに分解されたスケジュール情報のオブジェクト情報を順番にメモリ４４に記憶させる。例えば、ユーザが調整ボタン１０の上ボタンを一回、押下した場合、メモリ４４に記憶されているオブジェクト情報の日時情報より一つ早い日時情報に対応するスケジュール情報のオブジェクト情報を抽出し、メモリ４４に記憶させる。一方、ユーザが調整ボタン１０の下ボタンを一回、押下した場合、メモリ４４に記憶されているオブジェクト情報の日時情報より一つ遅い日時情報に対応するスケジュール情報のオブジェクト情報を抽出し、メモリ４４に記憶させる。なお、ユーザによる調整ボタン１０の押下により、ＤＯＭコントローラ４３がＸＰａｔｈ／ＸＰｏｉｎｔｅｒの仮想カーソルを、パーサ４２により入力されツリーに分解されたスケジュール情報のオブジェクト情報を１つずつ前又は後ろに移動させるようにしてもよい。この場合、ＤＯＭコントローラ４３は、仮想カーソルが示すオブジェクト情報をメモリ４４に記憶させる。
【００２２】
次に、ＤＯＭコントローラ４３は、抽出されたオブジェクト情報、即ちメモリ４４に記憶されているオブジェクト情報をカメラユニット８に送信する。カメラユニット８は、送信されたオブジェクト情報を撮影装置１の表示装置に表示させる。ここで、ユーザが、表示装置に表示されたオブジェクト情報と撮影した実際にいる場所又はイベントとが一致しているかを確認する。一致していると判断した場合、ユーザは図示しない確定ボタンを押下する。するとＤＯＭコントローラ４３は確定ボタンが押下された情報を検出し、メモリ４４に記憶されたオブジェクト情報をメモリ４１に記憶（編集）させると共に、メモリ４１に記憶されたオブジェクト情報をカメラユニット８に送信する。カメラユニット８は、送信されたオブジェクト情報、即ち抽出されたオブジェクト情報を、撮影した撮影データに設定する処理を行う（設定）。この場合、ＤＯＭコントローラ４３は、ＸＰｏｉｎｔｅｒが示すＸＭＬ空間を現在時刻に修正する。
このように、上述したメタデータ選択回路７の処理を経て、オブジェクト情報が設定された撮影データのメタデータを１次メタデータという。カメラユニット８は、１次メタデータが設定された撮影データをメモリカードのような記憶媒体に記憶する。
【００２３】
なお、ＤＯＭコントローラ４３は、取得した日時情報とスケジュール情報の日時情報とを比較し、取得した日時情報に一致する又は取得した日時情報に時間的に近いオブジェクト情報を複数、抽出するようにしてもよい。この場合、カメラユニット８は、抽出された複数のオブジェクト情報を表示装置に表示するようにする。そして、ユーザは表示された複数のオブジェクト情報から、調整ボタン１０を押下して選択する操作を行うことができる。ユーザによる選択操作に応じて、カメラユニット８は選択されたオブジェクト情報の表示を強調表示するようにする。そして、ユーザによる確定ボタン等を押下する操作に応じて、カメラユニット８は強調表示したオブジェクト情報を撮影データに設定するようにする。
【００２４】
次に、図１に戻り、撮影データを端末装置３、４により閲覧する場合について説明する。まず、ユーザの操作に応じて撮影装置１のカメラユニット８は、１次メタデータが設定された撮影データをサーバ５に送信する。サーバ５は、撮影装置１から送信された撮影データを受信し、サーバ５に設けられた記憶装置に記憶させる。なお、撮影装置１からの撮影データは、ＵＳＢケーブルや無線通信手段を介して、サーバ５に送信される。端末装置３、４からサーバ５に記憶された撮影データを受信することで、ユーザは端末装置３、４により１次メタデータが設定された撮影データを閲覧することができる。
【００２５】
次に、撮影データをサーバ５に接続された表示装置１７で閲覧する場合について説明する。この場合、例えばユーザは入力装置１６を介してサーバ５に対して表示装置１７に表示させる指示を行う。サーバ５が、表示装置１７に撮影データを表示させることで、ユーザは表示装置１７により撮影データを閲覧することができる。また、ユーザは入力装置１６を用いて閲覧している撮影データに対して出来栄え等の評価のランクを付加することができる。より具体的に説明すると、ユーザは、表示装置１７で表示されている撮影データに対して入力装置１６を用いて評価のランクを入力する操作を行う。すると、入力装置１６は、ユーザのランクの入力操作に応じて、サーバ５に評価のランク情報を送信する。サーバ５は、受信したランク情報を表示装置１７に表示させている撮影データにメタデータとして設定する。ランク情報をメタデータとして設定した後に、サーバ５が撮影データを表示装置１７等に表示させると、サーバ５は撮影データに設定されたランク情報に基づいて、撮影データのサムネイル画像を大きく表示する等、撮影データに係る表示を変更して表示する。
【００２６】
次に、ユーザがスケジュール表にない行動をしたときに、撮影データにメタデータを設定する方法について説明する。その場合、ユーザは０次メタデータ保持回路６に目的地周辺の観光地の場所情報やイベント情報等、即ちオブジェクト情報を、予備データとして記憶させておけばよい。撮影装置１にキーボート等の入力装置がある場合、ユーザはその場で、オブジェクト情報を入力してもよい。
【００２７】
また、ユーザが携帯電話装置を有する場合には、ユーザが撮影装置１により撮影した場所で、携帯電話装置を用いて自宅のサーバ５に場所情報と日時情報とが含まれたメールを送信するようにする。帰宅後、撮影装置１をサーバ５に接続することで、サーバ５又は撮影装置１は、メールの日時情報と撮影した撮影データの日時情報とを比較する。サーバ５又は撮影装置１は、撮影した撮影データの日時情報に一致又は近い日時情報が含まれたメールを抽出し、抽出したメールに含まれる場所情報を撮影データに設定するようにしてもよい。
【００２８】
また、ユーザがＧＰＳ受信装置（位置測位装置）を有している場合には、ユーザが撮影した場所において、ＧＰＳ受信装置によって緯度経度情報（位置情報）を取得する操作を行うようにする。そして、ＧＰＳ受信装置は、取得した緯度経度情報を場所情報に変換し、撮影装置１に場所情報を送信するようにしてもよい。又は、ＧＰＳ受信装置は、取得した緯度経度情報を、インターネットを介してウェブサービスに送信するようにする。そして、ウェブサービスでは受信した緯度経度情報から場所情報に変換し、撮影装置１に場所情報を送信するようにしてもよい（場所情報受信）。
【００２９】
なお、このＧＰＳ受信装置は、ユーザがスケジュール表通りに行動している場合においても使用することができる。例えば、撮影装置１のＤＯＭコントローラ４３は、ウェブサービス又はＧＰＳ受信装置から受信した場所情報とメモリ４４に記憶されているオブジェクト情報とを比較する。場所情報とオブジェクト情報とが全部又は一部が一致している場合、ＤＯＭコントローラ４３は、メモリ４４に記憶されているオブジェクト情報を確定情報として扱う。一方、場所情報とオブジェクト情報とが一致していない場合、ＤＯＭコントローラ４３は、メモリ４４に記憶されているオブジェクト情報を未確定情報として扱う。オブジェクト情報が確定情報の場合、カメラユニット８は撮影装置１の表示装置に表示させるオブジェクト情報を強調表示させたり色を変更させたりする等、表示方法を変更して表示する。また、カメラユニット８は、オブジェクト情報が未確定情報である撮影データのファイル名を一部変更させる等、未確定情報である撮影データであることが識別できるように記憶する。
【００３０】
ここで、撮影装置１のカメラユニット８は、ＤＯＭコントローラ４３が取得した日時情報とＤＯＭコントローラ４３が抽出したオブジェクト情報と撮影データのファイル名のファイル情報等とを用いてウェブブラウザ等において閲覧可能なデータを作成する（データ作成）。そして、カメラユニット８は作成したデータをサーバ５に送信する。サーバ５は受信したデータを記憶装置に記憶すると共に、端末装置３、４の要求により受信したデータを端末装置３、４に送信する。このように、撮影装置１のカメラユニット８において、ウェブブラウザにおいて閲覧可能なデータを作成することで簡単に端末装置３、４において撮影データを閲覧することができる。
【００３１】
このように、第１の実施形態によれば、撮影データに対し、簡単にオブジェクト情報を設定することができる。また、ユーザがスケジュール表と比べて遅れて又は早く行動している場合や、ユーザがスケジュール表にない行動をしたときであっても、撮影データに対し、簡単にオブジェクト情報を設定することができる。
【００３２】
（第２の実施形態）
第１の実施形態では、ＤＯＭコントローラ４３はシャッターボタン１１が押下されたときの日時情報を取得して、取得した日時情報とスケジュール情報の日時情報とを比較する場合について説明した。第２の実施形態では、ＤＯＭコントローラ４３が、取得した日時情報とスケジュール情報の日時情報とを一定時間毎に比較する処理について図５〜図７を参照して説明する。
図５は、タイマーの割り込み処理の一例を示すフローチャートである。このフローチャートは一定時間が経過される毎に実行される。先ず、ステップＳ１１において、ＤＯＭコントローラ４３は一定時間毎に計時装置９を調べる。次に、ステップＳ１２において、ＤＯＭコントローラ４３は計時装置９から現在の年月日や現在の時間等からなる日時情報を取得する（日時情報取得）。次に、ステップＳ１３において、ＤＯＭコントローラ４３は、取得した日時情報とパーサ４２から入力されたスケジュール情報の日時情報とを比較する（日時情報比較）。次に、ステップＳ１４において、ＤＯＭコントローラ４３は、取得した日時情報とスケジュール情報の日時情報とが一致しているか否かを判定する。
【００３３】
取得した日時情報とスケジュール情報の日時情報とが一致しない場合、ステップＳ１６においてＤＯＭコントローラ４３は、スケジュール情報のＸＰｏｉｎｔｅｒを１つ進めて、次の日時情報に対応するオブジェクト情報を抽出する（オブジェクト情報抽出）。次に、ステップＳ１７において、ＤＯＭコントローラ４３は、メモリ４４に記憶されているデータを、ステップＳ１６で抽出したオブジェクト情報に変更する処理を行う。
取得した日時情報とスケジュール情報の日時情報とが一致する場合、ステップＳ１５において、ＤＯＭコントローラ４３は、処理を行わない。
【００３４】
図６は、シャッターボタン１１が押下されたときの撮影装置１の内部で行われる処理の一例を示すフローチャートである。先ず、ステップＳ２１において、カメラユニット８は、メモリ４４に記憶されているオブジェクト情報を表示装置に表示する。次に、ステップＳ２２において、ＤＯＭコントローラ４３はユーザによる調整イベント割り込みが行われたか、即ち調整ボタン１０がユーザにより押下されたか否かを判定する。ＤＯＭコントローラ４３が、調整イベント割り込みが行われたと判定した場合、図７で後述するステップＳ２３の調整イベント割り込みの処理を行う。ＤＯＭコントローラ４３が、調整イベント割り込みが行われていないと判定した場合、ステップＳ２４に処理を進める。
【００３５】
ステップＳ２４において、ＤＯＭコントローラ４３は、ＸＰｏｉｎｔｅｒが設定されているオブジェクト情報、即ちメモリ４４に記憶されているオブジェクト情報をメモリ４１に記憶（編集）させる。次に、ステップＳ２５において、ＤＯＭコントローラ４３はオブジェクト情報をカメラユニット８に送信する。次に、カメラユニット８はオブジェクト情報を受信する。ステップＳ２６において、カメラユニット８は、撮影した撮影データにオブジェクト情報を設定する。
【００３６】
図７は、調整イベントの割り込みが行われたときの処理の一例を示すフローチャートである。このフローチャートは、撮影装置１の表示装置に表示されたオブジェクト情報とユーザにより撮影した実際にいる場所とが一致しない場合に、ユーザがオブジェクト情報の変更指示をするために調整ボタン１０が押下されたときに、実行される。ＤＯＭコントローラ４３は、調整ボタン１０のうちユーザにより上矢印又は下矢印のいずれかが押下されたか否かを判定する。ＤＯＭコントローラ４３が、調整ボタン１０の上矢印が記されたボタン（すすめ）の押下を検出した場合（オブジェクト変更指示検出）、ステップＳ３１に進む。次に、ステップＳ３３において、ＤＯＭコントローラ４３は、スケジュール情報のＸＰｏｉｎｔｅｒを前進させて、日時情報より一つ早い日時情報に対応するスケジュール情報のオブジェクト情報を抽出し、メモリ４４に記憶させる。
【００３７】
一方、ＤＯＭコントローラ４３が、調整ボタン１０の下ボタン（もどれ）の押下を検出した場合（オブジェクト変更指示検出）、ステップＳ３２に進む。次に、ステップＳ３４において、ＤＯＭコントローラ４３は、スケジュール情報のＸＰｏｉｎｔｅｒを後退させて、日時情報より一つ遅い日時情報に対応するスケジュール情報のオブジェクト情報を抽出し、メモリ４４に記憶させる。
ステップＳ３５において、ＤＯＭコントローラ４３は、抽出されたオブジェクト情報、即ちメモリ４４に記憶されているオブジェクト情報をカメラユニット８に送信する。カメラユニット８は、送信されたオブジェクト情報を撮影装置１の図示しない表示装置に表示させる。
【００３８】
このように、第２の実施形態によれば、ＤＯＭコントローラ４３が、計時装置９から取得した日時情報とスケジュール情報の日時情報とを一定時間毎に比較して、スケジュール情報の日時情報に対応するオブジェクト情報を抽出している。従って、ユーザによりシャッターボタン１１が押下された場合、カメラユニット８は、抽出されたオブジェクト情報をすぐに表示装置に表示することができる。
【００３９】
（第３の実施形態）
第３の実施形態では、撮影データに設定されたメタデータを追加したり、修正したりすることができる撮影システムについて説明する。
図８は第３の実施形態に係る撮影システム２００の構成の一例を示す図である。撮影システム２００は、撮影装置１と端末装置３と携帯電話装置３７とサーバ５とを含んで構成される。
撮影装置１は、０次メタデータ保持回路６とメタデータ選択回路７とカメラユニット８と計時装置９とメタデータ補正回路３０とパーサ（ＸＭＬパーサ）３１と通信ユニット３２とを含んで構成される。
【００４０】
メタデータ補正回路３０は、パーサ３１によって解析されたデータが、０次メタデータ保持回路６に記憶されたスケジュール情報に追加又は修正するデータであると判定した場合、スケジュール情報に追加又は修正する処理を行う。また、メタデータ補正回路３０は、パーサ３１によって解析されたデータが、撮影データに設定する場所情報やコメント情報等のメタデータである場合、撮影データにメタデータを設定するため、メタデータをカメラユニット８に送信する処理を行う。パーサ３１は、通信ユニット３２により取得された例えばＸＭＬ形式のデータを解析する処理をする。通信ユニット３２は、携帯電話装置３７のＢｌｕｅｔｏｏｔｈ（登録商標）やメールサーバ３６から送信されたデータを受信する。
【００４１】
携帯電話装置３７は、カメラ装置と入力装置と通信装置と制御装置と記憶装置とを含んで構成されている。カメラ装置は、携帯電話装置３７に内蔵されている。入力装置は、キーボード等である。ユーザは入力装置を介して追加又は修正するメタデータを携帯電話装置３７に入力することができる。通信装置は、Ｂｌｕｅｔｏｏｔｈ等の無線通信装置や、移動体通信網３３を利用する通信装置等であり、データの送受信を行うことできる。制御装置は、ＸＭＬ形式のデータを解析するパーサを含み、例えばＪａｖａ（登録商標）等のプログラミング言語で記述されたプログラムを実行することができる。記憶装置には、Ｊａｖａ等のプログラミング言語で記述されたプログラム等が記憶されている。
サーバ５は、フィルタ３５とメールサーバ３６とを含んで構成される。携帯電話装置３７の制御装置はデータを移動体通信網３３経由でインターネット３４を介し、サーバ５のメールサーバ３６に送信する。
【００４２】
次に、撮影データに設定されたメタデータを追加したり、修正したりする処理について説明する。まず、ユーザは携帯電話装置３７の入力装置によりメタデータを追加又は修正したいメタデータを入力する。携帯電話装置３７の制御装置であるパーサは、入力されたメタデータをＸＭＬ形式のデータに変換する。次に、携帯電話装置３７の制御装置は、通信装置を介して撮影装置１の通信ユニット３２にデータを送信する。携帯電話装置３７の通信装置がＢｌｕｅｔｏｏｔｈ等の無線通信装置であれば直接、撮影装置１の通信ユニット３２にＳＯＡＰ又はＲＥＳＴ（ＳＯＡＰを使わない方法）等のプロトコルにより送信する。一方、無線通信装置を有していない場合、携帯電話装置３７の制御装置は通常の移動体通信網３３経由でインターネット３４を介し、サーバ５のメールサーバ３６にメール又はメールアタッチメント文書としてデータを送信する。
【００４３】
メールサーバ３６は、フィルタ３５と連携して撮影装置１に転送するメールを選別する。この選別方法としては、メールサーバ３６が携帯電話装置３７から送信されたメールのメールアドレス又はメールのタイトルに撮影装置１のニックネーム等、撮影装置１を識別する識別情報が含まれているか否かによって選別する。ただし、選別方法は他の方法であってもよい。次に、メールサーバ３６は、選別されたメールを、撮影装置１の識別情報に基づいて、撮影装置１に送信する。
【００４４】
撮影装置１の通信ユニット３２は、携帯電話装置３７から送信されたメタデータやメールサーバ３６により送信されたメールを受信する（追加データ取得）。次に、撮影装置１のパーサ３１は受信したメタデータやメールの本文又はアタッチメントのＸＭＬ形式のデータを抜き出し、構文を解析する処理を行う。パーサ３１は解析した結果のデータをメタデータ補正回路３０に送信する。次に、メタデータ補正回路３０は、パーサ３１によって解析されたデータが、０次メタデータ保持回路６に追加又は修正するデータであるか、或いは撮影データに設定する場所情報やコメント情報等のメタデータであるかを判定する。
【００４５】
メタデータ補正回路３０は、パーサ３１によって解析されたデータが０次メタデータ保持回路６に記憶されたスケジュール情報に追加又は修正するデータであると判定した場合、スケジュール情報に追加又は修正する処理を行う。また、メタデータ補正回路３０は、パーサ３１によって解析されたデータが撮影データに設定する場所情報やコメント情報等のメタデータであると判定した場合、撮影データにメタデータを設定するため、メタデータをカメラユニット８に送信する処理を行う。カメラユニット８は、送信されたメタデータを撮影データのＥｘｉｆ領域に設定する。ここで、メタデータ補正回路３０は、データがスケジュール情報に関するものであるか撮影データに設定するメタデータであるかは、ＸＭＬ形式のデータに用いられるタグによって判定する。
【００４６】
ここで、撮影装置１の通信ユニット３２が受信するデータは以下のものが挙げられる。即ち、
（１）スケジュール情報に追加又は修正するデータ或いはスケジュール情報
（２）撮影データのタイトル情報（キャプション）
（３）撮影データのコメント情報
（４）撮影データの音声コメント情報
（５）撮影データに関連する携帯電話装置３７により撮影された写真データ
等である。
【００４７】
ここで、上述した（４）音声コメント情報及び（５）写真データのようにテキストデータ以外の場合、メールサーバ３６は、音声コメント情報や写真データの実体データをメールサーバ３６の記憶装置に記憶させるのみで撮影装置１には送信しなくてもよい。撮影装置１によって撮影された撮影データは、その後、サーバ５に送信される。従って、サーバ５は、サーバ５に送信され記憶装置に記憶された撮影データとその撮影データに対する音声コメント情報又は写真データとを関連付けて、リンクさせるようにする。より具体的に説明すると、サーバ５は音声コメント情報又は写真データとを関連付けたリンク情報を撮影データのメタデータとして設定する。このように、サーバ５が撮影データとその撮影データに対する音声コメント情報又は写真データとを関連付けて、リンクさせることで、メールサーバ３６の負荷が大きくならない。ここで、サーバ５によって撮影データに設定されたメタデータを２次メタデータという。この２次メタデータについての詳細は後述する。
【００４８】
次に、サーバ５に記憶された撮影データを端末装置３により閲覧する場合について説明する。サーバ５に記憶された撮影データを端末装置３が受信することで、ユーザは端末装置３によりメタデータが設定された撮影データを閲覧することができる。閲覧する撮影データに音声コメント情報とリンクするリンク情報が設定されている場合、端末装置３は撮影データに設定されたリンク情報から、サーバ５に記憶された音声コメント情報を受信し、音声コメントを再生する。また、閲覧する撮影データに、関連する写真データとリンクするリンク情報が設定されている場合、端末装置３は撮影データに設定されたリンク情報から、サーバ５に記憶された写真データを受信し、撮影データと共に表示する。
【００４９】
ここで、撮影装置１が撮影した撮影データには、カメラユニット８がＥｘｉｆデータを付加する。Ｅｘｉｆデータは、ＸＭＬ形式ではないが、メタデータの代表例であり、撮影日時や緯度経度情報等を含む各種の撮影情報である。撮影装置１によって撮影された撮影データには、Ｅｘｉｆデータが書き込まれる領域が設けられている。サーバ５又はカメラユニット８は、このＥｘｉｆデータが書き込まれる領域に、リンク情報や追加するメタデータを、ＸＭＬ形式で書き込むようにする。なお、撮影データに付加されるＥｘｉｆデータには制約があるため、画像部分を除くＥｘｉｆデータの一部又は全部をＸＭＬ形式で記述し、撮影データとして記憶してもよい。ここで、リンク情報等のメタデータが設定されたＥｘｉｆデータを２次メタデータという。２次メタデータは、もはやＥｘｉｆデータといえないが、メタデータを機械可読させることができ、様々な用途が広がる。
【００５０】
このように、第３の実施形態によれば、撮影データに設定されたメタデータに更に他のメタデータを容易に追加したり修正したりすることができる。
【００５１】
（第４の実施形態）
第４の実施形態では、ネットワークで接続された撮影装置から閲覧している撮影データに対してメタデータを設定することができる撮影システムについて説明する。
図９は、第４の実施形態に係る撮影システム３００の構成の一例を示す図である。撮影システム３００は、ホスト撮影装置５１とウェブサーバ５３とメールサーバ５４と表示装置１７とクライアント撮影装置２０、２１と携帯電話装置３７と入力装置１６とを含んで構成される。なお、ホスト撮影装置５１は、表示装置１７を直接、接続するように構成してもよい。この場合は、ホスト撮影装置５１は、ウェブサーバ５３の一部を構成する。
【００５２】
ホスト撮影装置５１は、液晶表示装置５２と録音装置とを含んで構成される。液晶表示装置５２には、撮影する被写体の画像が表示されたり、ホスト撮影装置５１の現在の状態「オンライン接続中」等が表示されたりする。録音装置は、ホスト撮影装置５１が撮影するときのユーザの音声コメント等を録音する。ホスト撮影装置５１は、撮影された撮影データにメタデータとして音声コメント情報を設定する。
また、クライアント撮影装置２０、２１は、録音装置と通信ユニットと入力装置とを含んで構成される。録音装置は、撮影データが表示装置１７に表示されているときのユーザの音声コメント等を録音する。通信ユニットは、音声コメント情報やランク情報等のデータをサーバ５３等に送信する。入力装置は、表示装置１７に表示されている撮影データに対するランクを入力する。
携帯電話装置３７は、カメラ装置と入力装置とを含んで構成されている。ユーザは、携帯電話装置３７のカメラ装置により、表示装置１７に表示された後述するバーコードを撮影することができる。また、ユーザは、入力装置により表示装置１７に表示された撮影データに対するコメントを入力することができる。
【００５３】
次に、ホスト撮影装置５１で撮影した撮影データを表示装置１７に表示する処理について説明する。ホスト撮影装置５１は、ウェブサーバ５３に撮影データを送信する。ウェブサーバ５３は、受信した撮影データに設定されているメタデータのうち場所情報やイベント情報等のオブジェクト情報又は緯度経度情報に基づき、複数のグループに分ける処理を行う。次に、ウェブサーバ５３は、図９の表示画面２３に示すように例えば、沖縄の地図を表示する。ユーザがリモコン等の入力装置１６を介して表示された沖縄の地図のうち「恩納村」を選択したとする。ウェブサーバ５３は、ユーザの選択を検出して、オブジェクト情報に「恩納村」が設定された撮影データのグループの縮小画像（サムネイル画像）又は緯度経度情報に「恩納村」に設定された撮影データの縮小画像の一覧を表示装置１７に表示する。なお、ウェブサーバ５３は、図９の表示画面２３に示すように「那覇」「恩納村」「首里城」等のオブジェクト情報をボタン表示するようにしてもよい。ウェブサーバ５３は、ユーザのボタン選択を検出すると、オブジェクト情報に「恩納村」が設定された撮影データのグループの縮小画像を表示装置１７に表示するようにする。
【００５４】
次に、ユーザが入力装置１６を介して、表示装置１７に表示された縮小画像から１つを選択する。ウェブサーバ５３は、ユーザの選択を検出すると、選択された縮小画像を図９の表示画面２４に示すように拡大して表示する。表示している撮影データに音声コメント情報が設定されている場合、ウェブサーバ５３は、撮影データを表示すると共に表示装置１７に接続されているスピーカを介して音声コメント、例えば「うわーっ！すごい。きれい。」を再生する。また、表示している撮影データにコメント情報が設定されている場合、ウェブサーバ５３は、撮影データを表示すると共に図９の表示画面２４に示すように、例えば「沖縄の夕暮れはロマンチックだな。」を表示する。
【００５５】
次に、表示装置１７に表示された撮影データにクライアント撮影装置２０から音声コメント情報を設定する処理について説明する。例えば、図９の表示画面２４に示すような撮影データが表示された状態で、ユーザはクライアント撮影装置２０の録音装置を介して音声コメント、例えば「次、行ってみよ〜（笑）」を入力（録音）する。クライアント撮影装置２０は、入力された音声コメント情報を、通信ユニットを介してウェブサーバ５３に送信する。ウェブサーバ５３は、受信した音声コメント情報を撮影データにメタデータとして設定する処理を行う。なお、ウェブサーバ５３は、撮影データと音声コメント情報とを記憶装置に別々に記憶させ、撮影データには音声コメント情報とリンクするためのリンク情報を設定するようにしてもよい。そして、ウェブサーバ５３が、ユーザにより入力装置１６を介して音声コメント情報又はリンク情報が設定された撮影データの閲覧指示を検出する。するとウェブサーバ５３は、撮影データを表示すると共に表示装置１７に接続されているスピーカを介して音声コメント、例えば「次、行ってみよ〜（笑）」を再生する。
【００５６】
次に、表示装置１７に表示された撮影データにクライアント撮影装置２１からランク情報を設定する処理について説明する。例えば、図９の表示画面２４に示すような撮影データが表示された状態で、ユーザはクライアント撮影装置２１の入力装置を用いて撮影データに対して出来栄え等の評価のランクを入力することができる。クライアント撮影装置２１は、入力されたランク情報を、通信ユニットを介してウェブサーバ５３に送信する。ウェブサーバ５３は、受信したリンク情報を撮影データにメタデータとして設定する処理を行う。ウェブサーバ５３は、図９の表示画面２３に示すような縮小画像を表示するとき、高い評価のリンク情報が設定された撮影データを他の縮小画像より大きくして表示する。また、ウェブサーバ５３は、拡大画像を表示するとき、図９の表示画面２４に示すように撮影データを表示すると共にランク情報「５」を表示する。
【００５７】
次に、表示装置１７に表示された撮影データに携帯電話装置３７からコメント情報を設定する処理について説明する。ウェブサーバ５３は、ホスト撮影装置５１から受信した撮影データに対してウェブ上での住所を示すアドレス情報（ＵＲＬ情報）を設定する。また、ウェブサーバ５３は、設定されたアドレス情報をバーコード情報（ＱＲコード情報）に変換する処理を行う。次に、ウェブサーバ５３は、ユーザによる撮影データの表示の指示を検出すると、撮影データを表示装置１７に表示すると共に、変換したバーコード情報に基づいて図９の表示画面２４に示すようなバーコード５７を表示装置１７に表示する。
【００５８】
ユーザは携帯電話装置３７のカメラ装置を用いて、表示装置１７に表示されたバーコード５７を撮影する。また、ユーザは携帯電話装置３７の入力装置を用いて、表示装置１７に表示された撮影データに対するコメント、例えば「沖縄の夕暮れはロマンチックだな」を入力する。次に、ユーザはバーコード情報及びコメント情報を記述したメールをメールサーバ５４に送信する指示を行う。携帯電話装置３７は、ユーザによる送信する指示を検出すると、メールをメールサーバ５４に送信する。メールサーバ５４は受信したメールのバーコード情報からアドレス情報に変換する。さらに、メールサーバ５４は、受信したメールのコメント情報とアドレス情報とをウェブサーバ５３に送信する。ウェブサーバ５３は、受信したアドレス情報に基づいてコメント情報を設定する撮影データを抽出し、抽出した撮影データに対してコメント情報を設定する処理を行う。ウェブサーバ５３が、ユーザにより入力装置１６を介してコメント情報が設定された撮影データの閲覧指示を検出する。するとウェブサーバ５３は、撮影データを表示すると共に撮影データに設定されているコメント情報に基づいてコメント、「沖縄の夕暮れはロマンチックだな」を表示する。
【００５９】
このように、第４の実施形態によれば、表示装置１７で撮影データを閲覧しているユーザのクライアント撮影装置２０、２１や携帯電話装置３７等により撮影データにメタデータを設定することができる。従って、撮影データに容易にメタデータを設定することができる
【００６０】
このように、上述した実施形態によれば、撮影データに対して簡単にメタデータを設定することができる。
【００６１】
上述した本発明の実施形態における撮影装置を構成する各手段、並びに撮影方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００６２】
また、本発明は、例えば、システム、装置、方法、プログラムもしくは記録媒体等としての実施形態も可能であり、具体的には、複数の機器からなるシステムに適用してもよい。
【００６３】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００６４】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００６５】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００６６】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００６７】
【図１】第１の実施形態に係る撮影システムの構成の一例を示す図である。
【図２】スケジュール表の一例を示す図である。
【図３】スケジュール情報の一例を示す図である。
【図４】撮影装置のメタデータ選択回路の構成の一例を示す図である。
【図５】第２の実施形態に係る撮影装置の処理の一例を示すフローチャートである。
【図６】第２の実施形態に係る撮影装置の処理の一例を示すフローチャートである。
【図７】第２の実施形態に係る撮影装置の処理の一例を示すフローチャートである。
【図８】第３の実施形態に係る撮影システムの構成の一例を示す図である。
【図９】第４の実施形態に係る撮影システムの構成の一例を示す図である。
【符号の説明】
【００６８】
１００  撮影システム
２００  撮影システム
３００  撮影システム
１      撮影装置
２〜４  端末装置
５      サーバ
６      ０次メタデータ保持回路
７      メタデータ選択回路
８      カメラユニット
９      計時装置
１０    調整ボタン
１１    シャッターボタン
１６    入力装置
１７    表示装置
３３    移動体通信網
３４    インターネット
３５    フィルタ
３６    メールサーバ
３７    携帯電話装置
４０    メモリ
４１    メモリ
４２    パーサ
４３    ＤＯＭコントローラ
４４    メモリ
５１    ホスト撮影装置
５２    液晶表示装置
５３    ウェブサーバ
５４    メールサーバ
２０    クライアント撮影装置
２１    クライアント撮影装置
【図１】
2009060423.tif 000003
【図２】
2009060423.tif 000004
【図３】
2009060423.tif 000005
【図４】
2009060423.tif 000006
【図５】
2009060423.tif 000007
【図６】
2009060423.tif 000008
【図７】
2009060423.tif 000009
【図８】
2009060423.tif 000010
【図９】
2009060423.tif 000011